(57)【特許請求の範囲】
【請求項１】
円環型の蛍光管をケーシング内に導入するシュートと、回転軸の外周の周方向及び軸方向に沿って破砕刃を突設し、ケーシング内に導入された上記蛍光管を挟み込んで破砕する一対の回転刃とを備える蛍光管破砕装置において、
上記一対の回転刃の軸方向の途中部に、蛍光管の口金部を破砕することなく通過させる非破砕部を設けたことを特徴とする蛍光管破砕装置。
【請求項２】
上記シュートに、蛍光管をセンタリングさせた状態でケーシング内に導入する蛍光管投入部を設け、上記非破砕部を回転刃の軸方向の中央部に設けている請求項１記載の蛍光管破砕装置。
【請求項３】
上記蛍光管投入部を、直径の異なる蛍光管毎に複数設けている請求項２記載の蛍光管破砕装置。
【発明の詳細な説明】
【０００１】
【発明の属する技術分野】
この発明は、使用済みの円環型の蛍光管を破砕して回収することができる蛍光管破砕装置に関する。
【０００２】
【従来の技術】
従来、使用済の蛍光管については、これを破砕してガラス片をリサイクルすることが行われている。この蛍光管を破砕する蛍光管破砕装置として、ケーシング内に蛍光管を導入するシュートと、回転軸の外周の周方向及び軸方向に沿って多数の破砕刃を突設し、ケーシング内に導入された上記蛍光管を挟み込んで破砕する一対の回転刃とを備えるものが提案されている（例えば特開平６−２２６１３１号公報参照）。
【０００３】
【発明が解決しようとする課題】
ところが、上記従来の蛍光管破砕装置は、蛍光管の口金部分が他の部分と区別なく破砕されるので、当該口金部分のフィラメントを保持する鉛ガラスについても破砕されることになり、この鉛ガラスの破砕片がそれ以外のガラスの破砕片に混入して、両者を選別することが不可能となる。このため、用途によっては破砕したガラスをリサイクルすることができなくなり、リサイクル率が低下するという問題が生じていた。
この発明は上記問題点に鑑みてなされたものであり、円環型の蛍光管の口金部を破砕することなく回収することができる蛍光管破砕装置を提供することを目的とする。
【０００４】
【課題を解決するための手段】
上記目的を達成するためのこの発明の蛍光管破砕装置は、円環型の蛍光管をケーシング内に導入するシュートと、回転軸の外周の周方向及び軸方向に沿って破砕刃を突設し、ケーシング内に導入された上記蛍光管を挟み込んで破砕する一対の回転刃とを備える蛍光管破砕装置において、
上記一対の回転刃の軸方向の途中部に、蛍光管の口金部を破砕することなく通過させる非破砕部を設けたことを特徴とするものである（請求項１）。
上記の構成の蛍光管破砕装置によれば、円環型の蛍光管の口金部を、上記回転刃の非破砕部に通すことにより、当該蛍光管の口金部を除いた部分を破砕することができる。
【０００５】
上記蛍光管破砕装置は、シュートに、蛍光管をセンタリングさせた状態でケーシング内に導入する蛍光管投入部を設け、非破砕部を、回転刃の軸方向の中央部に設けているのが好ましい（請求項２）。
この場合には、蛍光管を、その口金部を先頭にしてケーシング内に導入するだけで、上記蛍光管投入部により当該蛍光管をセンタリングさせて、その口金部を回転刃の非破砕部に通すことができる。
【０００６】
請求項２記載の蛍光管破砕装置において、上記蛍光管投入部は、直径の異なる蛍光管毎に複数設けているのが好ましく（請求項３）、この場合には、直径の異なる複数種の蛍光管のそれぞれを、各蛍光管投入部によりセンタリングさせて、その口金部を回転刃の非破砕部に通すことができる。
【０００７】
【発明の実施の形態】
以下、この発明の蛍光管破砕装置の一つの実施の形態について、添付図面を参照しながら詳述する。
図１はこの発明の蛍光管破砕装置を示す断面図である。この蛍光管破砕装置は、直管型の蛍光管Ｌ１を破砕する第１破砕部Ｈ１と、円環型の蛍光管Ｌ２を破砕する第２破砕部Ｈ２とを、ケーシング１の内部に構成したものであり、その主要部は、上記ケーシング１と、直管型の蛍光管Ｌ１を上記第１破砕部Ｈ１に供給するための直管用シュート２と、円環型の蛍光管Ｌ２を上記第２破砕部Ｈ２に供給するための円環用シュート３と、上記ケーシング１内を無端回動するチェーンコンベア５と、上記第２破砕部Ｈ２において円環型の蛍光管Ｌ２を破砕する一対の回転刃６とによって構成されている。
【０００８】
上記ケーシング１は、断面がそれぞれ矩形の水平部１１及び傾斜部１２を有する第１ケーシング１Ａと、上記水平部１１の上方に設けられた第２ケーシング１Ｂとからなり、上記第１ケーシング１Ａの水平部１１の途中部に第１破砕部Ｈ１が、第２ケーシング１Ｂに第２破砕部Ｈ２がそれぞれ設けられている。また、上記傾斜部１２の頂部には、チェーンコンベア５の上部スプロケット５１を配置するための第１空間１３が設けられているとともに、水平部１１の図１において右端部には、チェーンコンベア５の下部スプロケット５２を配置するための第２空間１４が設けられている。
上記第２ケーシング１Ｂは、横断面が矩形のものであり、その上面に円環型の蛍光管Ｌ２を導入するための開口部１６が設けられており、下面は開放されて第１ケーシング１Ａの内部に連通されている（図６参照）。
【０００９】
直管用シュート２は、断面矩形の第１筒状体２１と、この第１筒状体２１の上端部に接続された断面矩形の第２筒状体２２とによって構成されている。
上記第１筒状体２１は、第１破砕部Ｈ１の直上において第１ケーシング１Ａの水平部１１の上面から鉛直に延びており、その内部は、第１ケーシング１Ａの上面に形成された開口部１５（図３参照）を通して第１ケーシング１Ａの内部に連通されている。
上記第２筒状体２２は、その下端部が調芯用のブッシュ２１ｂを介して第１筒状体２１の上端部に抜き取り可能に挿入されている（図４参照）。この第２筒状体２２は、特に長尺の直管型の蛍光管Ｌ１を第１破砕部Ｈ１に導入する際に、第１筒状体２１に接続して使用されるものであり、短寸の蛍光管Ｌ１については、第１筒状体２１のみを使用して第１破砕部Ｈ１に導入することができる。
【００１０】
上記第２筒状体２２は、下端部以外の断面が「コ」の字形を呈する本体部２２ａと、この本体部２２ａの一側面の開口部２２ｂを開閉自在に閉塞する閉塞部材２２ｃとからなり、この閉塞部材２２ｃは、本体部２２ａの開口縁２２ｄに沿って連続的に配列されたブラシ２２ｅで構成されている。このブラシ２２ｅは、その基端部が本体部２２ａの左右の開口縁２２ｄに植設されているとともに、先端側が開口部２２ｂの中央まで水平に延びており、直管型の蛍光管Ｌ１をブラシ２２ｅに沿わせて押圧するだけで、当該ブラシ２２ｅを押し退けて、側方より蛍光管Ｌ１を本体部２２ａの内部に投入することができる（図５参照）。
なお、各筒状体２１，２２の内部空間は、複数本の蛍光管Ｌ１を第１ケーシング１Ａ内に同時に導入できる大きさに設定されている。また、上記第１筒状体２１の上端部には、短寸の蛍光管Ｌ１を投入する際に、その投入をガイドするためのロート状のガイド部２１ａが設けられている。
【００１１】
円環用シュート３は、３個の蛍光管投入部３１を段状に配列したものであり（図２、図６及び図７参照）、各蛍光管投入部３１には、円環型の蛍光管Ｌ２を投入する際に、その少なくとも相対向する円弧部Ａの下面側を支承する受け部３１ａと、当該円弧部Ａの周面を沿わせて蛍光管Ｌ２をセンタリングさせる一対の幅ガイド部３１ｂとが設けられている。各蛍光管投入部３１の幅ガイド部３１ｂは、各蛍光管Ｌ２の直径に応じて投入幅を段階的に変化させてあり、上段の上記蛍光管投入部３１は大径の蛍光管Ｌ２を、中段の蛍光管投入部３１はそれよりも小径の蛍光管Ｌ２を、下段の蛍光管投入部３１はそれよりもさらに小径の蛍光管Ｌ２をそれぞれ投入するためのものである。また、中段及び下段の蛍光管投入部３１の下部側は、上段の蛍光管投入部３１の下部に集約されており、いずれの蛍光管投入部３１から投入された蛍光管Ｌ２についても、第２ケーシング１Ｂの開口部１６を通して第２破砕部Ｈ２に供給できるようになっている。なお、上記円環用シュート３に蛍光管Ｌ２を投入する際には、その口金部Ｋ３が中心下部に位置するように投入する（図７参照）。
上記円環用シュート３によれば、直径の異なる複数種の円環型の蛍光管Ｌ２を、一対の幅ガイド部３１ｂによってそれぞれセンタリングさせた状態で、第２破砕部Ｈ２に導入することができる。
【００１２】
チェーンコンベア５は、所定間隔離して並列に張設された２条のチェーン５３に、複数のスクレーパ５４を所定間隔毎に取り付けたものであり（図１及び図３参照）、上記２条のチェーン５３は、第１ケーシング１Ａの第１空間１３に配置された上部スプロケット５１と、第１ケーシング１Ａの第２空間１４に配置された下部スプロケット５２とにそれぞれ巻き掛けられ、第１ケーシング１Ａ内の水平部１１と傾斜部１２との境界部に配置された中間スプロケット５５及びガイド部材５６によって途中部がガイドされた状態で、第１ケーシング１Ａ内を図１において時計回り方向へ無端回動することができる。
上記スクレーパ５４は、金属板を略「Ｌ」字形断面に溶接組立したものであり、その一片をチェーン５３に対して略鉛直に起立させた状態で、２条のチェーン５３間にピン５４ｂを用いて架設されている（図９参照）。このスクレーパ５４の起立片５４ａの先端部は、第１ケーシング１Ａと協働して蛍光管Ｌ１，Ｌ２の破砕片を掻き集めることができるように、第１ケーシング１Ａの内面に近接させてある。
なお、上記スクレーパ５４は、その往動側（上部側）が直管用シュート２の直下に到達すると同時に、復動側（下部側）も直管用シュート２の直下に到達するように設定されている。
【００１３】
一対の回転刃６は、第２ケーシング１Ｂ内の第２破砕部Ｈ２に設けられている。この回転刃６は、回転軸６１の外周の周方向及び軸方向に沿って多数の破砕刃６２を突設したものであり、（図６〜図８参照）、各回転刃６は、それぞれの破砕刃６２の先端部どうしを互いにオーバラップさせた状態で平行に配置されている。この回転刃６の回転軸６１の相互間の隙間Ｓ（図６参照）は、円環型の蛍光管Ｌ２の管径よりも大きい値に設定されている。また、各回転刃６の軸方向の中央部には、上記破砕刃６２を突設することなく回転軸６１の外周を全周にわたって露出させた部分が設けられており、この露出させた部分が円環型の蛍光管Ｌ２を破砕できない非破砕部６３として構成されている。この非破砕部６３の軸方向の幅Ｄ１は、円環型の蛍光管Ｌ２の口金部Ｋ３の幅Ｗよりもやや大きい値に設定されている（図７参照）。
【００１４】
上記第１ケーシング１Ａの水平部１１の上方には、ケーシング１内の粉塵を回収するための集塵装置７が設けられている。この集塵装置７の吸気側は、ダクト７１を介して第１ケーシング１Ａの第１空間１３及び第２ケーシング１Ｂの内部に連通されており、排気口は第１ケーシング１Ａの水平部１１内の右端側に連通されている。
上記集塵装置７は、ダクト７１を介して吸入した粉塵を含む空気を、その内部において反転させ、空気と粉塵との慣性の差により両者を分離させる慣性式のものであり、粉塵が分離された空気は、集塵装置７の底部に挿抜自在に設けられたフィルタ７２（図１０参照）を通して第１ケーシング１Ａ内に還流される。このフィルタ７２は、集塵装置７の底部のフィルターボックス７２ａに抜取り自在に投入されている（図１１参照）。
なお、上記第１ケーシング１Ａの傾斜部１２の上端には、チェーンコンベア５によって搬送されてくる破砕片を回収容器としてのドラム缶Ｄに回収するための回収用シュート１８が接続されている（図１参照）。また、上記回収用シュート１８の下端部とドラム缶Ｄの開口部との間の隙間は、蓋１７によって覆われている。
【００１５】
次に、以上の構成の蛍光管破砕装置の動作について説明する。
チェーンコンベア５を無端回動させた状態で、直管型の蛍光管Ｌ１を直管用シュート２を通して第１ケーシング１Ａの内部の第１破砕部Ｈ１に導入すると、この蛍光管Ｌ１は、チェーンコンベア５を挿通して、その下端部の口金部Ｋ１が第１ケーシング１Ａの水平部１１の下面に突き当たる（図３参照）。この状態で往動側及び復動側のスクレーパ５４が、直管用シュート２の直下に差しかかると、往動側のスクレーパ５４が、第１ケーシング１Ａ内の蛍光管Ｌ１の上部Ｙ側を押圧し、復動側のスクレーパが当該蛍光管Ｌ２の下部Ｚ側を上部Ｙ側と反対方向へ押圧する。これにより、蛍光管Ｌ１が往動側のスクレーパ５４と復動側のスクレーパ５４との中間部分Ｘ１において剪断力を受けて、当該中間部分Ｘ１が破断されると同時に、その近傍が破砕される。但し、口金部Ｋ１に設けられた電極用の鉛ガラスについては、上記中間部分Ｘ１から離れているので、破砕されることなく第１ケーシング１Ａの下面に残存する。また、蛍光管Ｌ１の上部Ｙ側については、往動側のスクレーパ５４と第１ケーシング１Ａの開口部１５の縁部との間で挟み込まれ、両者の中間部分Ｘ２において剪断力を受けて，当該中間部分Ｘ２が破断されると同時に、その近傍が破砕される。
【００１６】
上記スクレーパ５４が直管用シュート２の直下を通過すると、直管用シュート２内の蛍光管Ｌ１が自重により落下し、その下端部が第１ケーシング１Ａの下面に突き当たるまで蛍光管Ｌ１がさらに第１ケーシング１Ａ内に導入される。以後、上記と同様にして第１ケーシング１Ａ内の蛍光管Ｌ１が繰り返し破断及び破砕される。
そして最終的に、蛍光管Ｌ１の上端部の口金部Ｋ２を破砕することなく第１ケーシング１Ａの水平部１１の底部に落下させるが、このように上記口金部Ｋ２の破砕を防止するために、当該口金部Ｋ２が、上記各中間部分Ｘ１，Ｘ２及びその近傍に位置しないように、蛍光管Ｌ１の全長を考慮して第１ケーシング１Ａの水平部１１の内部の高さＨ及びスクレーパ５４の高さｈを設定してある。
なお、上記蛍光管Ｌ１の破砕片は、第１ケーシング１Ａの下面に沿って復動側のスクレーパ５４により掻き集められ、チェーンコンベア５の上端部近傍まで搬送されて、回収用シュート１８を通してドラム缶Ｄ内に回収される。
【００１７】
一方、円環用シュート３を用いて、円環型の蛍光管Ｌ２を、その口金部Ｋ３を先頭にした状態で第２ケーシング１Ｂ内の第２破砕部Ｈ２に導入すると、この導入部分のうちの口金部Ｋ３の両側部分を、一対の回転刃６の破砕刃６２で挟み込んで破砕することができる。但し、上記口金部Ｋ３については、破砕されることなく非破砕部６３を通過する。以後、蛍光管Ｌ２は自重によって順次第２ケーシング１Ｂ内に導入されて破砕される。そして、蛍光管Ｌ２の口金部Ｋ３及び破砕片は、第１ケーシング１Ａ内に自由落下した後、この第１ケーシング１Ａの下面に沿って復動側のスクレーパ５４により掻き集められ、チェーンコンベア５の上端部近傍まで搬送されて、回収用シュート１８を通してドラム缶Ｄ内に回収される。
【００１８】
このように、上記蛍光管破砕装置は、各蛍光管Ｌ１，Ｌ２の口金部Ｋ１，Ｋ２，Ｋ３以外の部分を破砕するので、そのリサイクルに際して、当該口金部Ｋ１，Ｋ２，Ｋ３を、回収された破砕片から容易に選別除去することができる。このため、口金部Ｋ１，Ｋ２，Ｋ３の鉛ガラスが他のガラスに混入することによりリサイクルができなくなるという従来の不都合を解消することができる。また、一つのチェーンコンベア５によって蛍光管Ｌ１，Ｌ２の破砕と、破砕片の運搬の双方を行うことができるので、これらを別々の装置で行わせる場合よりも、装置の構造を簡素にすることができ、ひいては装置のコストを安くすることができる。
【００１９】
さらに、チェーンコンベア５によって破砕片を高所に一旦持ち上げてドラム缶Ｄに回収することができるので、自由落下により破砕片を直接ドラム缶に回収する場合よりも、第１破砕部Ｈ１の位置を低くすることができる。このため、直管型の蛍光管Ｌ１の投入作業が容易となる。
しかも、特に長尺の蛍光管Ｌ１については、直管用シュート２の第２筒状体２２の側方から、その開口部２２ｂを通して当該第２筒状体２２の内部に投入することができるので、当該蛍光管Ｌ１を第２筒状体２２の上端開口から下方に向けて投入する場合よりも、作業位置を低くすることができる。このため、特に長尺の蛍光管Ｌ１について、その投入作業が一層容易となる。
【００２０】
また、上記第２筒状体２２の開口部２２ｂを、閉塞部材２２ｃによって閉塞しているので、蛍光管Ｌ１の破砕時の衝撃によって、第２筒状体２２内の蛍光管が万一破砕された場合でも、その破砕片が開口部２２ｂを通して周囲に飛散するのを防止することができる。しかも、上記閉塞部材２２ｃがブラシ２２ｅで構成されているので、上記開口部２２ｂを簡易に開閉することができる。
【００２１】
さらに、第２破砕部Ｈ２において、回転刃６の軸方向の中央部に非破砕部６３を設けているとともに、上記円環型の蛍光管Ｌ２を第２破砕部Ｈ２に導入する際に、当該蛍光管Ｌ２を円環用シュート３の蛍光管投入部３１によってセンタリングさせることができるので、口金部Ｋ３を先頭にして蛍光管Ｌ２を第２破砕部Ｈ２に導入するだけで、当該口金部Ｋ３を回転刃６の非破砕部６３に通すことができる。このため、その投入作業が容易となる。
しかも、上記蛍光管投入部３１が、直径の異なる蛍光管Ｌ２毎に設けられているので、当該蛍光管Ｌ２の直径にかかわらず、その口金部Ｋ３を回転刃６の非破砕部６３に容易且つ確実に通すことができる。このため、直径の異なる蛍光管Ｌ２のそれぞれについて、その投入作業が容易となる。
【００２２】
この発明の蛍光管破砕装置は、上記の実施の形態に限定されるものでなく、例えば、回転刃６の非破砕部６３を、軸方向の一端部側に形成してもよく、この場合には、円環型の蛍光管Ｌ２を、その口金部Ｋ３を側方に向けた状態で第２破砕部Ｈ２に投入することにより、当該口金部Ｋ３が回転刃６により破砕されるのを防止することができる。
【００２３】
【発明の効果】
以上のように、請求項１記載の蛍光管破砕装置によれば、円環型の蛍光管の口金部を、回転刃の非破砕部に通すことにより、当該蛍光管の口金部を除いた部分を破砕することができるので、口金部の鉛ガラスを破砕することなく選別回収するができる。このため、破砕片のリサイクル率を高めることができる。
【００２４】
請求項２記載の蛍光管破砕装置によれば、蛍光管を、その口金部を先頭にしてケーシング内に導入するだけで、上記蛍光管投入部により当該蛍光管をセンタリングさせて、その口金部を回転刃の非破砕部に通すことができるので、蛍光管の投入作業が容易となる。
【００２５】
請求項３記載の蛍光管破砕装置によれば、直径の異なる複数種の蛍光管を、各蛍光管投入部によりセンタリングさせて、その口金部を回転刃の非破砕部に通すことができるので、直径の異なる複数種の蛍光管のそれぞれについて、その投入作業が容易となる。
【図面の簡単な説明】
【図１】この発明の蛍光管破砕装置の一つの実施の形態を示す正面図である。
【図２】同じく平面図である。
【図３】第１破砕部を示す断面図である。
【図４】直管用シュートを示す要部断面図である。
【図５】直管用シュートを示す平面図である。
【図６】第２破砕部を示す断面図である。
【図７】図６のイ矢視断面図である。
【図８】回転刃を示す平面図である。
【図９】チェーンコンベアの要部分解斜視図である。
【図１０】集塵装置を示す要部正面図である。
【図１１】集塵装置のフィルタ部分を示す平面図である。
【符号の説明】
１        ケーシング
２        直管用シュート
３        円環用シュート
３１      蛍光管投入部
５３      チェーン
５４      スクレーパ
６        回転刃
６１      回転軸
６２      破砕刃
６３      非破砕部
Ｋ３      口金部
Ｌ１      直管型の蛍光管
Ｌ２      円環型の蛍光管
【図１】
0003586564.tif 000002
【図２】
0003586564.tif 000003
【図３】
0003586564.tif 000004
【図４】
0003586564.tif 000005
【図５】
0003586564.tif 000006
【図６】
0003586564.tif 000007
【図７】
0003586564.tif 000008
【図８】
0003586564.tif 000009
【図９】
0003586564.tif 000010
【図１０】
0003586564.tif 000011
【図１１】
0003586564.tif 000012